(57)【要約】【課題】半二重通信の送信権を取得するための操作装置を有する通信装置と、この操作装置を有さない通信装置とが半二重通信を行えるようにするための通信制御装置と通信制御方法とを提供すること。【解決手段】アダプタ６は、半二重通信を行う通信端末１１及び通信端末１２から成る装置群とＩＶＲ５とが半二重通信を行うように制御する。アダプタ６のデータ蓄積部６３は、ＩＶＲ５から音声データが入力されると、この音声データを蓄積し、信号制御部６１は、ＩＶＲ５からの音声データの入力に応じて、通信端末１１及び通信端末１２から成る装置群にこの音声データを送信するためのデータ送信権の取得要求を行い、データ送信権の取得通知を受けると、データ蓄積部６３により蓄積された音声データを送信する。【選択図】図１
2008113379.tif 000002
【特許請求の範囲】
【請求項１】
半二重通信におけるデータ送信権を取得するための操作装置を有する第１の通信装置と、該操作装置を有さない第２の通信装置とが半二重通信を行うように制御する通信制御装置であって、
前記第２の通信装置からデータの入力があると、該データを蓄積するデータ蓄積手段と、
前記第２の通信装置から前記データの入力があると、半二重通信を管理する通信管理装置に対し、前記第１の通信装置に該データを送信するためのデータ送信権の取得要求を行う送信権要求手段と、
前記データ送信権の取得通知を前記通信管理装置から受けると、前記データ蓄積手段により蓄積された前記データを送信するデータ送信制御手段と
を備える、ことを特徴とする通信制御装置。
【請求項２】
半二重通信におけるデータ送信権を取得するための操作装置を有する第１の通信装置と、該操作装置を有さない第２の通信装置とが半二重通信を行うように制御する通信制御装置であって、
前記第２の通信装置からデータの送信要求があると、半二重通信を管理する通信管理装置に対し、前記第１の通信装置に前記データを送信するためのデータ送信権の取得要求を行う送信権要求手段と、
前記データ送信権の取得通知を前記通信管理装置から受けると、前記データを送信するように前記第２の通信装置に指示する送信指示手段と
を備える、ことを特徴とする通信制御装置。
【請求項３】
前記第１の通信装置と半二重通信を行うことを前記通信管理装置に要求する通信開始要求手段を更に備え、
前記送信権要求手段は、前記第１の通信装置との半二重通信の開始後に前記データ送信権の取得要求を行う、ことを特徴とする請求項１又は２に記載の通信制御装置。
【請求項４】
前記通信開始要求手段は、前記第１の通信装置と通信を開始する旨の指示が前記第２の通信装置から入力されると、該開始指示に応じて該第１の通信装置と半二重通信を行うことを前記通信管理装置に要求する、ことを特徴とする請求項３に記載の通信制御装置。
【請求項５】
半二重通信におけるデータ送信権を取得するための操作装置を有する第１の通信装置と、該操作装置を有さない第２の通信装置とが半二重通信を行うように制御する通信制御装置を用いた通信制御方法であって、
前記第１の通信装置と通信を開始する旨の指示が前記第２の通信装置から入力されると、半二重通信を管理する通信管理装置に対し、該開始指示に応じて該第１の通信装置と半二重通信を行うことを前記通信管理装置に要求する通信開始要求ステップと、
前記第１の通信装置との半二重通信の開始後に前記第２の通信装置からデータの入力があると、該データを蓄積しつつ、前記第１の通信装置に該データを送信するためのデータ送信権の取得要求を前記通信管理装置に行う送信権要求ステップと、
前記データ送信権の取得通知を前記通信管理装置から受けると、前記蓄積されたデータを送信するデータ送信ステップと
を有する、ことを特徴とする通信制御方法。
【請求項６】
半二重通信におけるデータ送信権を取得するための操作装置を有する第１の通信装置と、該操作装置を有さない第２の通信装置とが半二重通信を行うように制御する通信制御装置を用いた通信制御方法であって、
前記第１の通信装置と通信を開始する旨の指示が前記第２の通信装置から入力されると、半二重通信を管理する通信管理装置に対し、該開始指示に応じて該第１の通信装置と半二重通信を行うことを前記通信管理装置に要求する通信開始要求ステップと、
前記第１の通信装置との半二重通信の開始後に前記第２の通信装置からデータの送信要求があると、前記第１の通信装置に前記データを送信するためのデータ送信権の取得要求を前記通信管理装置に行う送信権要求ステップと、
前記データ送信権の取得通知を前記通信管理装置から受けると、前記データを送信するように前記第２の通信装置に指示する送信指示ステップと
を有する、ことを特徴とする通信制御方法。
【発明の詳細な説明】
【技術分野】
【０００１】
本発明は、半二重通信を行うための通信制御装置と通信制御方法とに関する。
【背景技術】
【０００２】
近時、ＰｏＣ（Push-to-talk  Over  Cellular）等、複数の通信端末間において半二重通信を行う技術が開発されれている。ＰｏＣの仕様は非特許文献１に開示されており、また、半二重通信を用いた通信技術の一例は特許文献１に開示されている。
【特許文献１】特表２００５−５３５２３１号公報
【非特許文献１】OMA  RELEASE  PROGRAM  AND  SPECIFICATION,  OMA  Push-to-talk  Over  Cellular  Archive,  [online],  [retrieved  on  23  October  2006],  Retrieved  from  the  Internet：＜http://www.openmobilealliance.org/release_program/poc-v1_0.html＞
【発明の開示】
【発明が解決しようとする課題】
【０００３】
このような半二重通信は、半二重通信の送信権を取得するための操作装置であるＰＴＴボタン（PTT：Push  To  Talk）を備えた複数の通信機器の間で行われ、ＰＴＴボタンを備えていない音声自動応答装置（ＩＶＲ：Interactive  Voice  Response）等の通信機器が半二重通信に参加するのは困難である。そこで本発明の目的は、半二重通信の送信権を取得するための操作装置を有する通信装置と、この操作装置を有さない通信装置とが半二重通信を行えるようにするための通信制御装置と通信制御方法とを提供することである。
【課題を解決するための手段】
【０００４】
本発明は、半二重通信におけるデータ送信権を取得するための操作装置を有する第１の通信装置と、該操作装置を有さない第２の通信装置とが半二重通信を行うように制御する通信制御装置であって、前記第２の通信装置からデータの入力があると、該データを蓄積するデータ蓄積手段と、前記第２の通信装置から前記データの入力があると、半二重通信を管理する通信管理装置に対し、前記第１の通信装置に該データを送信するためのデータ送信権の取得要求を行う送信権要求手段と、前記データ送信権の取得通知を前記通信管理装置から受けると、前記データ蓄積手段により蓄積された前記データを送信するデータ送信制御手段とを備える、ことを特徴とする。
【０００５】
本発明によれば、第２の通信装置からデータの入力があると、このデータが蓄積されつつ、半二重通信におけるデータ送信権の取得要求が行われる。そして、データ送信権の取得後、蓄積されたデータが送信される。従って、半二重通信の送信権を取得するための操作装置を用いなくてもデータ送信権の取得要求が可能となるので、半二重通信の送信権を取得するための操作装置を有さない第２の通信装置も、この操作装置を有する第１の通信装置との間で行われる半二重通信に参加することが可能となる。
【０００６】
本発明は、半二重通信におけるデータ送信権を取得するための操作装置を有する第１の通信装置と、該操作装置を有さない第２の通信装置とが半二重通信を行うように制御する通信制御装置であって、前記第２の通信装置からデータの送信要求があると、半二重通信を管理する通信管理装置に対し、前記第１の通信装置に前記データを送信するためのデータ送信権の取得要求を行う送信権要求手段と、前記データ送信権の取得通知を前記通信管理装置から受けると、前記データを送信するように前記第２の通信装置に指示する送信指示手段とを備える、ことを特徴とする。
【０００７】
本発明によれば、第２の通信装置からのデータ送信要求に応じて、半二重通信におけるデータ送信権の取得要求が行われる。そして、データ送信権の取得後、第２の通信装置にデータ送信が指示される。従って、半二重通信の送信権を取得するための操作装置を用いなくてもデータ送信権の取得要求が可能となるので、半二重通信の送信権を取得するための操作装置を有さない第２の通信装置も、この操作装置を有する第１の通信装置との間で行われる半二重通信に参加することが可能となる。
【０００８】
また、本発明において、前記第１の通信装置と半二重通信を行うことを前記通信管理装置に要求する通信開始要求手段を更に備え、前記送信権要求手段は、前記第１の通信装置との半二重通信の開始後に前記データ送信権の取得要求を行うのが好ましく、前記通信開始要求手段は、前記第１の通信装置と通信を開始する旨の指示が上記第２の通信装置から入力されると、該開始指示に応じて該第１の通信装置と半二重通信を行うことを前記通信管理装置に要求するのが好ましい。このため、本発明の通信制御装置を用いれば、半二重通信の送信権を取得するための操作装置を有さない第２の通信装置が、この操作装置を有する第１の通信装置との間で行う半二重通信の開始を要求することが可能となる。
【０００９】
本発明は、半二重通信におけるデータ送信権を取得するための操作装置を有する第１の通信装置と、該操作装置を有さない第２の通信装置とが半二重通信を行うように制御する通信制御装置を用いた通信制御方法であって、前記第１の通信装置と通信を開始する旨の指示が前記第２の通信装置から入力されると、半二重通信を管理する通信管理装置に対し、該開始指示に応じて該第１の通信装置と半二重通信を行うことを前記通信管理装置に要求する通信開始要求ステップと、前記第１の通信装置との半二重通信の開始後に前記第２の通信装置からデータの入力があると、該データを蓄積しつつ、前記第１の通信装置に該データを送信するためのデータ送信権の取得要求を前記通信管理装置に行う送信権要求ステップと、前記データ送信権の取得通知を前記通信管理装置から受けると、前記蓄積されたデータを送信するデータ送信ステップとを有する、ことを特徴とする。
【００１０】
本発明によれば、第２の通信装置からデータの入力があると、このデータが蓄積されつつ、半二重通信におけるデータ送信権の取得要求が行われる。そして、データ送信権の取得後、蓄積されたデータが送信される。従って、半二重通信の送信権を取得するための操作装置を用いなくてもデータ送信権の取得要求が可能となるので、半二重通信の送信権を取得するための操作装置を有さない第２の通信装置も、この操作装置を有する第１の通信装置との間で行われる半二重通信に参加することが可能となる。更に、本発明によれば、第１の通信装置との半二重通信を開始する旨の指示が入力されると、この指示に応じて第１の通信装置と半二重通信を行うことが要求されるので、半二重通信の送信権を取得するための操作装置を有さない第２の通信装置が、この操作装置を有する第１の通信装置との間で行う半二重通信の開始を要求することが可能となる。
【００１１】
本発明は、半二重通信におけるデータ送信権を取得するための操作装置を有する第１の通信装置と、該操作装置を有さない第２の通信装置とが半二重通信を行うように制御する通信制御装置を用いた通信制御方法であって、前記第１の通信装置と通信を開始する旨の指示が前記第２の通信装置から入力されると、半二重通信を管理する通信管理装置に対し、該開始指示に応じて該第１の通信装置と半二重通信を行うことを前記通信管理装置に要求する通信開始要求ステップと、前記第１の通信装置との半二重通信の開始後に前記第２の通信装置からデータの送信要求があると、前記第１の通信装置に前記データを送信するためのデータ送信権の取得要求を前記通信管理装置に行う送信権要求ステップと、前記データ送信権の取得通知を前記通信管理装置から受けると、前記データを送信するように前記第２の通信装置に指示する送信指示ステップと
を有する、ことを特徴とする。
【００１２】
本発明によれば、第２の通信装置からのデータ送信要求に応じて、半二重通信におけるデータ送信権の取得要求が行われる。そして、データ送信権の取得後、第２の通信装置にデータ送信が指示される。従って、半二重通信の送信権を取得するための操作装置を用いなくてもデータ送信権の取得要求が可能となるので、半二重通信の送信権を取得するための操作装置を有さない第２の通信装置も、この操作装置を有する第１の通信装置との間で行われる半二重通信に参加することが可能となる。更に、本発明によれば、第１の通信装置との半二重通信を開始する旨の指示が入力されると、この指示に応じて第１の通信装置と半二重通信を行うことが要求されるので、半二重通信の送信権を取得するための操作装置を有さない第２の通信装置が、この操作装置を有する第１の通信装置との間で行う半二重通信の開始を要求することが可能となる。
【発明の効果】
【００１３】
本発明によれば、半二重通信の送信権を取得するための操作装置を有する通信装置と、この操作装置を有さない通信装置とが半二重通信を行うことができる。
【発明を実施するための最良の形態】
【００１４】
以下、図面を参照して、本発明に係る好適な実施形態について詳細に説明する。なお、図面の説明において、可能な場合には、同一要素には同一符号を付し、重複する説明を省略する。
【００１５】
図１は、本実施形態に係る半二重通信システム１の構成を説明するためのブロック図である。図１の実線矢印はデータの通信経路を表しており、破線矢印は信号の通信経路を表している。図１に示すように、半二重通信システム１は、通信管理装置３、データ処理装置４、ＩＶＲ５（第２の通信装置）、アダプタ６及び通信端末１１，１２（第１の通信装置）を備える。半二重通信システム１は、通信端末１１及び通信端末１２等の複数の通信端末とＩＶＲ５等の音声自動応答装置とが、ＰｏＣシステム等の半二重通信を行うための通信システムである。通信端末１１及び通信端末１２は、半二重通信を行う装置群を成す。なお、本実施形態においては、半二重通信システム１に含まれる通信端末を通信端末１１及び通信端末１２の二機としているが、これに限らず、三機以上の通信端末が半二重通信を行う構成であってもよい。
【００１６】
通信管理装置３は、通信端末１１、通信端末１２及びＩＶＲ５が行う半二重通信を管理する。通信管理装置３は、物理的には、ＣＰＵ、ＲＯＭ及びＲＡＭ等（図示略）を有しており、機能的には、中央信号制御部３１を有する。通信管理装置３のＣＰＵは、ＲＯＭ等の内蔵メモリに格納されているコンピュータソフトウェアをＲＡＭにロードして実行し、通信管理装置３の物理的な各構成部を動作させることによって、中央信号制御部３１の機能を実現する。
【００１７】
中央信号制御部３１は、半二重通信の開始指示を、通信端末１１、通信端末１２、アダプタ６（ＩＶＲ５）の何れかの通信装置から受信すると、半二重通信の開始処理（例えば、半二重通信に参加する通信装置の電話番号やＩＰアドレスのリスト作成や、半二重通信に参加する通信装置への開始通知の送信等の処理）を実行する。中央信号制御部３１は、通信端末１１の信号制御部１１ａ、通信端末１２の信号制御部１２ａまたはアダプタ６の信号制御部６１から半二重通信におけるデータ送信権の取得要求を受信すると、このデータ送信権が、通信端末１１、通信端末１２、アダプタ６（ＩＶＲ５）の何れかの通信装置に現在割り当てられているか否かを判定し、何れの通信装置に対しても割り当てられていないと判定した場合には、データ送信権の取得要求を行った通信装置に、このデータ送信権の割り当てと、データ送信権の取得通知とを行う。
【００１８】
データ処理装置４は、半二重通信を行う通信端末１１、通信端末１２、アダプタ６（ＩＶＲ５）に対しデータの送受信を行う。データ処理装置４は、物理的には、ＣＰＵ、ＲＯＭ及びＲＡＭ等（図示略）を有し、機能的には、データ受信部４１、データ処理部４２及びデータ送信部４３を有する。データ処理装置４のＣＰＵは、ＲＯＭ等の内蔵メモリに格納されているコンピュータソフトウェアをＲＡＭにロードして実行し、データ処理装置４の物理的な各構成部を動作させることによって、上記のデータ受信部４１〜データ送信部４３の各機能を実現する。
【００１９】
データ受信部４１は、通信端末１１のデータ送信部１１ｂ、通信端末１２のデータ送信部１２ｂ及びアダプタ６のデータ送信部６５からデータ（音声データや文字データ）またはＰＢ信号等を受信する。なお、以下において、「データ」という表現は、デジタルデータを意味する。データ処理部４２は、データ受信部４１により受信されたデータを、通信端末１１、通信端末１２及びＩＶＲ５に配信するための配信データとして処理し、この配信データをデータ送信部４３に出力する。データ送信部４３は、データ処理部４２から入力される配信データを、通信端末１１のデータ受信部１１ｃ、通信端末１２のデータ受信部１２ｃ、ＩＶＲ５のデータ受信部５２のうち、この配信データの送信元を除く通信装置に配信する。なお、図１に示す構成は、データ処理装置４のデータ送信部４３からの出力をＩＶＲ５のデータ受信部５２で受信する構成となっているが、これに限らず、データ送信部４３からの出力をＩＶＲ５が受信できるデータ形式に変換するための機能をアダプタ６が具備する構成であってもよい。この場合、ＩＶＲ５のデータ受信部５２は、データ送信部４３からの出力を、アダプタ６を経由して受け取ることができる。
【００２０】
ＩＶＲ５は、自動音声ガイダンス等に用いる自動音声応答装置と同様の機能を有している。例えば、ＩＶＲ５は、電話機から音声やＰＢ信号による番号入力があると、この番号に応じた音声データをメモリから取得し、この音声データの音声を、この番号入力を行った電話機に対して再生する。そして、ＩＶＲ５は、半二重通信におけるデータ送信権を取得するための操作装置であるＰＴＴボタンを有さない。
【００２１】
ＩＶＲ５は、物理的には、ＣＰＵ、ＲＯＭ及びＲＡＭ等（図示略）を有し、機能的には、信号制御部５１、データ受信部５２、データ認識部５３、データ管理部５４、データ蓄積部５５及びデータ送信部５６を有する。ＩＶＲ５のＣＰＵは、ＲＯＭ等の内蔵メモリに格納されているコンピュータソフトウェアをＲＡＭにロードして実行し、ＩＶＲ５の物理的な各構成部を動作させることによって、上記の信号制御部５１〜データ送信部５６の各機能を実現する。
【００２２】
信号制御部５１は、半二重通信を行うための各種制御信号の送受信をアダプタ６の信号制御部６１との間で行う。信号制御部５１は、アダプタ６の信号制御部６１に対し、通信端末１１及び通信端末１２と通信を開始する旨の指示を行う。もしくは、通信開始の指示をアダプタ６の信号制御部６１が行い、ＩＶＲ５の信号制御部５１は、この通信開始の指示により信号制御部６１から信号制御部５１に対して行われる半二重通信への参加指示に応じて通信を開始（半二重通信に参加）してもよい。この場合、ＩＶＲ５の信号制御部５１は、通信端末１１や通信端末１２が通信開始の指示をした場合と同様の処理を行う。データ受信部５２は、データ処理装置４のデータ送信部４３から送信される配信データを受信すると、この受信した配信データをデータ認識部５３に出力する。
【００２３】
データ認識部５３は、データ受信部５２から入力される配信データを解析し、この配信データの内容を認識する。例えば、データ認識部５３は、配信データの内容がＰＢ信号による番号を示すデータである場合には、この番号を認識し、または、配信データの内容が音声による特定の用語（「数字」、「はい／いいえ」、「名前」、「挨拶」等）を含むデータである場合には、この音声内容を認識する。データ認識部５３は、この認識結果をデータ管理部５４に出力する。
【００２４】
データ管理部５４は、データ認識部５３から入力される上記の配信データについての認識結果に基づいて、この配信データに応じて配信する音声データの取得をデータ蓄積部５５に指示する。例えば、データ認識部５３による配信データの認識結果が番号「５」であった場合、データ管理部５４は、データ蓄積部５５に対し、番号「５」に対応する音声データの取得を指示する。
【００２５】
データ蓄積部５５は、データ蓄積部５５の管理するデータベース（図示略）から、データ管理部５４により指示された音声データを取得する。データ蓄積部５５は、この取得した音声データをデータ送信部５６に出力し、データ送信部５６は、データ蓄積部５５から出力されたこの音声データを、出力回線種別（アナログ回線、ＩＳＤＮ回線またはパケット回線等）や音声信号種別（音声信号のコーディングの種類）に応じて変換し、この変換後の音声信号をアダプタ６のデータ受信部６２に送信する。
【００２６】
アダプタ６は、半二重通信を行う通信端末１１及び通信端末１２から成る装置群とＩＶＲ５とが半二重通信を行うように、この装置群とＩＶＲ５との間の通信を制御する。アダプタ６は、物理的には、図２に示すＣＰＵ６ａ、ＲＡＭ６ｂ、ＲＯＭ６ｃ、入力装置６ｄ、出力装置６ｅ、通信装置６ｆ及び記録装置６ｇを有しており、このＣＰＵ６ａ〜記録装置６ｇは、バス６ｈに接続されている。アダプタ６は、機能的には、信号制御部６１（送信権要求手段、データ送信制御手段、通信開始要求手段）、データ受信部６２、データ蓄積部６３（データ蓄積手段）、データ開始判断部６４及びデータ送信部６５を有する。
【００２７】
ＣＰＵ６ａは、ＲＯＭ６ｃ等の内蔵メモリに格納されているコンピュータソフトウェアをＲＡＭ６ｂにロードして実行し、アダプタ６の物理的な各構成部を動作させることによって、上記の信号制御部６１〜データ送信部６５の各機能を実現する。入力装置６ｄは、キーボード等のデータ入力用デバイスであり、入力されたデータをＣＰＵ６ａに出力する。出力装置６ｅは、ＬＣＤ等の表示装置であり、ＣＰＵ６ａから入力されるデータをＬＣＤ等に表示する。通信装置６ｆは、通信管理装置３、データ処理装置４及びＩＶＲ５と通信を行う。記録装置６ｇは、書き込み／読み出し自在なメモリである。
【００２８】
信号制御部６１は、半二重通信を行うための各種制御信号の送受信を、通信管理装置３の中央信号制御部３１とＩＶＲ５の信号制御部５１との間で行う。信号制御部６１は、通信開始の指示をＩＶＲ５の信号制御部５１から受信すると、通信管理装置３の中央信号制御部３１に半二重通信の通信開始を指示する。例えば、信号制御部５１は、予めプログラムされたスケジュールに基づいて、通信端末１１及び通信端末１２との通信の開始指示をアダプタ６の信号制御部６１に送信するようにしてもよい。また、別の例として、前述の通信開始の指示をアダプタ６の信号制御部６１に行わせるようにし、ＩＶＲ５が、この通信開始の指示により信号制御部６１から信号制御部５１に対して行われる半二重通信への参加指示に応じて通信を開始（半二重通信に参加）してもよい。ここで、アダプタ６とＩＶＲ５との間の信号方式は、ＩＳＵＰ（ISDN  User  Part）、ＳＩＰ（Session  Initiation  Protocol）、Ｐａｒｌａｙ、ＰａｒｌａｙＸまたはＨＴＴＰ（Hyper  Text   Transfer  Protocol）などのプロトコルを用いることができる。信号制御部６１は、通信開始後、音声データがＩＶＲ５から送信開始された旨の通知をデータ開始判断部６４から受信すると、半二重通信におけるデータ送信権の取得要求を通信管理装置３の中央信号制御部３１に行う。また、信号制御部６１は、データの送信指示（すなわち、データ送信権の取得通知）を通信管理装置３の中央信号制御部３１から受信し、データ送信権を取得した後に、この受信した送信指示をデータ蓄積部６３に出力し、データ蓄積部６３に蓄積した音声データの出力をデータ蓄積部６３に指示する。この送信指示は、アダプタ６の信号制御部６１からのデータ送信権の取得要求の受諾応答に応じて通信管理装置３の中央信号制御部３１が作成する。
【００２９】
データ受信部６２は、ＩＶＲ５のデータ送信部５６から送信される音声信号（アナログ回線で送信される信号や、ＩＳＤＮ回線またはパケット回線等で送信される信号）を受信すると、この受信した音声信号をデジタルの音声データとして取得し、この音声データをデータ蓄積部６３に出力する。データ蓄積部６３は、データ受信部６２から入力される音声データを記録装置６ｇに蓄積する。データ蓄積部６３は、信号制御部６１からデータの送信指示が入力されると、記録装置６ｇに蓄積された音声データをデータ送信部６５に出力する。これにより、データ送信権の取得に必要な信号処理時間内に生じる虞のある音声データの話頭切れが回避できる。なお、データ蓄積部６３は、データ受信部６２により受信される音声データのデータ形式が後段のデータ処理装置４において用いられるデータ形式と異なる場合、この音声データのデータ形式を変換し、この変換後の音声データを記録装置６ｇに蓄積するようにしてもよい。また、データ開始判断部６４の機能をデータ蓄積部６３に持たせてもよい。
【００３０】
データ開始判断部６４は、音声データがデータ受信部６２からデータ蓄積部６３に入力され、発言や会話が開始されたか否かを判断する。データ開始判断部６４は、データ蓄積部６３の音声データを分析し、発言や会話が開始されたと判断した場合、この旨（音声データの分析による発言や会話の開始の判断）を信号制御部６１に通知する。データ開始判断部６４は、単に音声データの有無によって発言や会話の開始の判断を行う場合に用いるデータ形式や、音声データの内容を音声波形や数値として捉えることにより無音ではなく実際に発言や会話が開始されたか否かの判断を行う場合に用いるデータ形式等に応じて好適な判断方法を用いる。データ送信部６５は、データ蓄積部６３から入力される音声データをデータ処理装置４のデータ受信部４１に送信する。
【００３１】
通信端末１１は、携帯電話等の通信機器である。そして、通信端末１１は、半二重通信におけるデータ送信権を取得するための操作装置であるＰＴＴボタンを有する。ユーザは、このＰＴＴボタンを操作することにより、半二重通信におけるデータ送信権の取得要求を通信管理装置３に対して行う。
【００３２】
通信端末１１は、機能的には、信号制御部１１ａ、データ送信部１１ｂ及びデータ受信部１１ｃを有しており、物理的には、ＣＰＵ、ＲＯＭ及びＲＡＭや、携帯電話等が具備する通信装置を有する（図示略）。通信端末１１のＣＰＵは、ＲＯＭ等の内蔵メモリに格納されるコンピュータソフトウェアをＲＡＭにロードして実行し、通信端末１１の物理的な各構成部を動作させることによって、上記の信号制御部１１ａ〜データ受信部１１ｃの各機能を実現する。
【００３３】
信号制御部１１ａは、半二重通信を行うための各種制御信号の送受信を通信管理装置３の中央信号制御部３１との間で行う。信号制御部１１ａは、アダプタ６の信号制御部６１に半二重通信の開始を指示する。信号制御部１１ａは、通信端末１１の具備するＰＴＴボタンの操作により入力されるデータ送信権の取得要求を、通信管理装置３の中央信号制御部３１に送信する。データ送信部１１ｂは、通信端末１１に入力される入力データを、データ処理装置４のデータ受信部４１に送信する。この入力データは、例えば、キー入力により作成される文字データ（番号や文字を示すデータ）や、マイクを介した音声入力により作成される音声データ等である。データ受信部１１ｃは、データ処理装置４のデータ送信部４３から、配信データ（音声データ）を受信する。
【００３４】
通信端末１２は、通信端末１１と同様の構成を有する。通信端末１２の信号制御部１２ａ、データ送信部１２ｂ、データ受信部１２ｃのそれぞれは、通信端末１１の信号制御部１１ａ、データ送信部１１ｂ、データ受信部１１ｃのそれぞれと同様である。従って、通信端末１２の構成の説明を省略する。
【００３５】
次に、図３及び図４を参照し、本実施形態に係る半二重通信システム１の動作を説明する。なお、図３及び図４に記載の通信端末１１は、通信端末１２に替えてもよく、半二重通信が可能な何れの通信端末であってもよい。図３を参照して、半二重通信の開始処理について説明する。ＩＶＲ５と通信端末１１とが通信開始の指示を行うことができるが、ＩＶＲ５が通信開始の指示を行う場合、まず、ＩＶＲ５の信号制御部５１は、アダプタ６の信号制御部６１に通信開始の指示を行う（ステップＳ１）。ステップＳ１の後、アダプタ６の信号制御部６１は、ＩＶＲ５の信号制御部５１から通信開始の指示を受信すると、半二重通信の開始を通信管理装置３の中央信号制御部３１に対して行う（ステップＳ２）。また、通信端末１１が通信開始の指示を行う場合、通信端末１１の信号制御部１１ａは、アダプタ６の信号制御部６１に半二重通信の開始を指示する（ステップＳ３）。ここで、アダプタ６が通信開始の指示を行う場合、ステップ１は省略され、ステップ２から処理を行う（通信を開始させる）。この場合、ＩＶＲ５は、通信端末１１や通信端末１２等の他の通信端末から通信が開始された場合と同様の処理を行う。すなわち、ＩＶＲ５は、通信端末１１や通信端末１２等の他の通信端末からの通信開始の指示により信号制御部６１から信号制御部５１に対して行われる半二重通信への参加指示に応じて通信を開始（半二重通信に参加）する。
【００３６】
そして、ステップＳ２またはステップＳ３の後、通信管理装置３の中央信号制御部３１は、アダプタ６の信号制御部６１または通信端末１１の信号制御部１１ａから半二重通信の開始指示を受信すると、通信端末１１、通信端末１２及びアダプタ６に対して半二重通信の開始処理を実行する（ステップＳ４）。上記各ステップを経て半二重通信の開始処理が終了し、半二重通信が可能となる。
【００３７】
次に、図４を参照して、半二重通信を用いたデータ送信処理について説明する。図４に示すデータ送信処理は、図３に示す半二重通信の開始処理の完了が前提となる。ＩＶＲ５と通信端末１１とがデータ送信を行うことができるが、ＩＶＲ５がデータ送信を行う場合、まず、ＩＶＲ５のデータ送信部５６は、データ蓄積部５５から出力されたデジタルの音声データを、出力回線種別（アナログ回線、ＩＳＤＮ回線またはパケット回線等）や音声信号種別（音声信号のコーディングの種類）に応じて変換し、この変換後の音声信号をアダプタ６のデータ受信部６２に送信する（ステップＳ１１）。ステップＳ１１の後、データ受信部６２がＩＶＲ５のデータ送信部５６から音声信号を受信すると、この音声信号をデジタルの音声データとして取得し、データ蓄積部６３に出力する。
【００３８】
そして、データ受信部６２から入力された音声データをデータ蓄積部６３が記録装置６ｇに蓄積しつつデータ蓄積部６３に音声データが入力された旨（音声データの分析による発言や会話の開始の判断）をデータ開始判断部６４が信号制御部６１に通知し、信号制御部６１は、音声データがＩＶＲ５から送信開始された旨の通知をデータ開始判断部６４から受信すると、半二重通信におけるデータ送信権の取得要求を通信管理装置３の中央信号制御部３１に行う（ステップＳ１２）。ステップＳ１２の後、アダプタ６の信号制御部６１は、データの送信指示（すなわち、データ送信権の取得通知）を通信管理装置３の中央信号制御部３１から受信し、データ送信権を取得した後に、この受信した送信指示をデータ蓄積部６３に出力し、データ蓄積部６３に蓄積した音声データの出力を指示する（ステップＳ１３）。これにより、音声データの話頭切れが回避できる。ステップＳ１３の後、データ蓄積部６３は、信号制御部６１からデータの送信指示が入力されると、記録装置６ｇに蓄積された音声データをデータ送信部６５に出力し、データ送信部６５は、この出力された音声データをデータ処理装置４のデータ受信部４１に送信する（ステップＳ１４）。
【００３９】
また、通信端末１１がデータ送信を行う場合、通信端末１１の信号制御部１１ａは、通信端末１１の具備するＰＴＴボタンの操作によって入力されるデータ送信権の取得要求を、通信管理装置３の中央信号制御部３１に送信する（ステップＳ１５）。ステップＳ１５の後、信号制御部１１ａがデータの送信指示（すなわち、データ送信権の取得通知）を通信管理装置３の中央信号制御部３１から受信し、データ送信権を取得した後に、データ送信部１１ｂは、通信端末１１に入力される入力データ（音声データや文字データ）を、データ処理装置４のデータ受信部４１に送信する（ステップＳ１６）。
【００４０】
そして、データ処理装置４のデータ受信部４１は、通信端末１１のデータ送信部１１ｂまたはアダプタ６のデータ送信部６５からデータ（音声データや文字データ）を受信すると、データ処理部４２は、この受信されたデータから通信端末１１、通信端末１２及びＩＶＲ５に配信するための配信データを作成し、この配信データをデータ送信部４３に出力する。データ送信部４３は、データ処理部４２から入力された配信データを、通信端末１１、通信端末１２、アダプタ６（ＩＶＲ５）のうち、この配信データに係るデータの送信元を除く通信装置に配信する（ステップＳ１７）。以上の各ステップを経て、半二重通信を用いたデータ送信処理が行われる。
【００４１】
次に、本実施形態に係るアダプタ６の作用・効果を説明する。アダプタ６は、半二重通信におけるデータ送信権を取得するためのＰＴＴボタンを有する通信端末１１（通信端末１２）と、ＰＴＴボタンを有さないＩＶＲ５とが半二重通信を行うように制御する。データ蓄積部６３は、ＩＶＲ５から音声データの入力があると、この音声データを蓄積する。信号制御部６１は、ＩＶＲ５から音声データの入力があると、半二重通信を管理する通信管理装置３の中央信号制御部３１に対し、通信端末１１（通信端末１２）にこの音声データを送信するためのデータ送信権の取得要求を行う。信号制御部６１は、この取得要求に応じたデータ送信権の取得通知を通信管理装置３の中央信号制御部３１から受けると、データ蓄積部６３により蓄積された音声データを送信する。
【００４２】
以上のように、本実施形態に係るアダプタ６によれば、ＩＶＲ５から音声データの入力があると、この音声データが蓄積されつつ、半二重通信におけるデータ送信権の取得要求が行われる。そして、データ送信権の取得後、蓄積された音声データが送信される。従って、半二重通信の送信権を取得するためのＰＴＴボタンを用いなくてもデータ送信権の取得要求が可能となるので、ＰＴＴボタンを有さないＩＶＲ５も、ＰＴＴボタンを有する通信端末１１（通信端末１２）との間で行われる半二重通信に参加することが可能となる。
【００４３】
また、アダプタ６の信号制御部６１は、通信端末１１（通信端末１２）と半二重通信を行うことを通信管理装置３の中央信号制御部３１に要求し、通信端末１１（通信端末１２）との半二重通信の開始後にデータ送信権の取得要求を行うのが好ましく、通信端末１１（通信端末１２）と通信を開始する旨の指示がＩＶＲ５から入力されると、この通信の開始指示に応じて通信端末１１（通信端末１２）と半二重通信を行うことを通信管理装置３の中央信号制御部３１に要求するのが好ましい。このため、アダプタ６を用いれば、半二重通信の送信権を取得するためのＰＴＴボタンを有さないＩＶＲ５が、ＰＴＴボタンを有する通信端末１１（通信端末１２）との間で行う半二重通信の開始を要求することが可能となる。
【００４４】
（変形例）  なお、本発明は、上記した実施形態に限るものではない。例えば、半二重通信システム１は、図４のフローチャートに示すデータ送信処理に替えて、図５のフローチャートに示すデータ送信処理を行ってもよい。本変形例に係る半二重通信システム１は、ＩＶＲ５に替えてＩＶＲ７を有し、アダプタ６に替えてアダプタ８を有する。
【００４５】
ＩＶＲ７は、物理的にはＩＶＲ５と同様であり、機能的には、信号制御部７１、データ受信部７２、データ認識部７３、データ管理部７４、データ蓄積部７５及びデータ送信部７６を有する。この信号制御部７１〜データ送信部７６のうち、データ受信部７２、データ認識部７３、データ蓄積部７５及びデータ送信部７６は、ＩＶＲ５のデータ受信部５２、データ認識部５３、データ蓄積部５５及びデータ送信部５６と同様であるが、信号制御部７１及びデータ管理部７４は、ＩＶＲ５の信号制御部５１及びデータ管理部５４と異なる。
【００４６】
また、アダプタ８は、物理的にはアダプタ６と同様であり、機能的には、信号制御部８１、データ受信部８２、データ蓄積部８３及びデータ送信部８５を有する。この信号制御部８１〜データ蓄積部８３及びデータ送信部８５のうち、データ受信部８２、データ蓄積部８３及びデータ送信部８５は、アダプタ６のデータ受信部６２、データ蓄積部６３及びデータ送信部６５と同様であり、前述のような出力回線種別（アナログ回線、ＩＳＤＮ回線またはパケット回線等）や音声信号種別（音声信号のコーディングの種類）に応じてデータ変換を行う場合に必要となる。また、信号制御部８１は、アダプタ６の信号制御部６１と異なる。
【００４７】
信号制御部７１は、半二重通信を行うための各種制御信号の送受信をアダプタ８の信号制御部８１との間で行う。信号制御部７１は、アダプタ８の信号制御部８１に対し、通信端末１１及び通信端末１２と通信を開始する旨の指示を行う。信号制御部７１は、通信端末１１及び通信端末１２に半二重通信を用いて音声データを送信する旨のデータ送信要求を、アダプタ８の信号制御部８１に送信する。信号制御部７１は、音声データの送信指示をアダプタ８の信号制御部８１から受信すると、この受信した送信指示をデータ管理部７４に出力し、音声データの出力をデータ管理部７４に指示する。
【００４８】
データ管理部７４は、信号制御部７１からデータの送信指示が入力されると、この送信指示に対応する音声データを取得してデータ送信部７６に出力するようデータ蓄積部７５に指示する。また、データ管理部７４は、データ認識部７３から入力される配信データについての認識結果に基づいて、この配信データに応じて配信するための音声データの取得をデータ蓄積部７５に指示する。
【００４９】
信号制御部８１（送信権要求手段、送信指示手段及び通信開始要求手段）は、半二重通信を行うための各種制御信号の送受信を、通信管理装置３の中央信号制御部３１とＩＶＲ７の信号制御部７１との間で行う。信号制御部８１は、通信開始の指示をＩＶＲ７の信号制御部７１から受信すると、通信管理装置３の中央信号制御部３１に半二重通信の通信開始を指示する。信号制御部８１は、ＩＶＲ７からのデータ送信要求に基づいて、半二重通信におけるデータ送信権の取得要求を作成し、このデータ送信権の取得要求を、通信管理装置３の中央信号制御部３１に送信する。信号制御部８１は、データの送信指示（すなわち、データ送信権の取得通知）を通信管理装置３の中央信号制御部３１から受信し、データ送信権を取得した後に、この送信指示をＩＶＲ７の信号制御部７１に送信し、音声データの送信をＩＶＲ７に指示する。
【００５０】
以下、図５を参照して、半二重通信を用いた他のデータ送信処理について説明する。図５に示すデータ送信処理は、図３に示す半二重通信の開始処理の完了が前提となる。なお、図５に示すステップＳ２６及びステップＳ２７は、図４に示すステップＳ１６及びステップＳ１７と同様である。このため、以下において、ステップＳ２１〜ステップＳ２５及びステップＳ２８についてのみ説明する。
【００５１】
まず、ＩＶＲ７の信号制御部７１は、通信端末１１及び通信端末１２に半二重通信を用いてＩＶＲ７の音声データを送信する旨のデータ送信要求を、アダプタ８の信号制御部８１に送信する（ステップＳ２１）。ステップＳ２１の後、アダプタ８の信号制御部８１は、ＩＶＲ７からのデータ送信要求に基づいて、半二重通信におけるデータ送信権の取得要求を作成し、このデータ送信権の取得要求を、通信管理装置３の中央信号制御部３１に送信する（ステップＳ２２）。ステップＳ２２の後、アダプタ８の信号制御部８１は、データの送信指示（すなわち、データ送信権の取得通知）を通信管理装置３の中央信号制御部３１から受信し、データ送信権を取得した後に、この送信指示をＩＶＲ７の信号制御部７１に送信し、音声データの送信をＩＶＲ７に指示する（ステップＳ２３）。ステップＳ２３の後、信号制御部７１は、音声データの送信指示をアダプタ８の信号制御部８１から受信すると、この受信した送信指示をデータ管理部７４に出力し、音声データの出力をデータ管理部７４に指示する（ステップＳ２４）。
【００５２】
ステップＳ２４の後、データ管理部７４は、信号制御部７１からデータの送信指示が入力されると、この送信指示に対応する音声データを取得してデータ送信部７６に出力するようデータ蓄積部７５に指示し、データ送信部７６は、データ蓄積部７５から入力される音声データをアダプタ８に送信する（ステップＳ２５）。
【００５３】
なお、データ送信部７６は、出力回線種別（アナログ回線、ＩＳＤＮ回線またはパケット回線等）や音声信号種別（音声信号のコーディングの種類）がデータ処理装置４のデータ受信部４１との間で整合が取れていれば、音声データをデータ処理装置４のデータ受信部４１に直接送信してもよい。
【００５４】
そして、ステップＳ２５またはステップＳ２７の後、データ処理装置４のデータ受信部４１は、通信端末１１の信号制御部１１ａ、ＩＶＲ７のデータ送信部７６またはアダプタ８のデータ送信部８５からデータ（音声データや文字データ）を受信すると、データ処理部４２は、この受信されたデータから通信端末１１、通信端末１２及びＩＶＲ７に配信するための配信データを作成し、この配信データをデータ送信部４３に出力する。データ送信部４３は、データ処理部４２から入力された配信データを、通信端末１１、通信端末１２、アダプタ８（ＩＶＲ７）のうち、この配信データに係るデータの送信元を除く通信装置に配信する（ステップＳ２８）。以上の各ステップを経て、半二重通信を用いたデータ送信処理が行われる。
【００５５】
次に、本変形例に係るアダプタ８の作用・効果を説明する。アダプタ８は、半二重通信におけるデータ送信権を取得するためのＰＴＴボタンを有する通信端末１１（通信端末１２）と、ＰＴＴボタンを有さないＩＶＲ７とが半二重通信を行うように制御する。信号制御部８１は、ＩＶＲ７から音声データの送信要求があると、半二重通信を管理する通信管理装置３の中央信号制御部３１に対し、通信端末１１（通信端末１２）に音声データを送信するためのデータ送信権の取得要求を行い、この取得要求に応じたデータ送信権の取得通知を通信管理装置３の中央信号制御部３１から受けると、音声データを送信するようにＩＶＲ７に指示する。
【００５６】
以上のように、本変形例に係るアダプタ８によれば、ＩＶＲ７からのデータ送信要求に応じて、半二重通信におけるデータ送信権の取得要求が行われる。そして、データ送信権の取得後、ＩＶＲ７にデータ送信が指示される。従って、半二重通信の送信権を取得するためのＰＴＴボタンを用いなくてもデータ送信権の取得要求が可能となるので、ＰＴＴボタンを有さないＩＶＲ７も、ＰＴＴボタンを有する通信端末１１（通信端末１２）との間で行われる半二重通信に参加することが可能となる。
【００５７】
なお、ＩＶＲ７及びアダプタ８（または何れか一方）は、図４のフローチャートに示すデータ送信処理と、図５のフローチャートに示すデータ送信処理とを共に実行可能としてもよく、この二つのデータ送信処理を切り替える切替装置を有していてもよい。
【図面の簡単な説明】
【００５８】
【図１】実施形態に係る半二重通信システムの構成を説明するためのブロック図である。
【図２】実施形態に係るアダプタの構成を説明するためのブロック図である。
【図３】実施形態に係る半二重通信の開始処理を説明するためのフローチャートである。
【図４】実施形態に係る半二重通信を用いたデータ送信処理を説明するためのフローチャートである。
【図５】他の実施形態に係る半二重通信の開始処理を説明するためのフローチャートである。
【符号の説明】
【００５９】
１…半二重通信システム、３…通信管理装置、４…データ処理装置、５，７…ＩＶＲ、６，８…アダプタ８…ＣＰＵ、６ｂ…ＲＡＭ、６ｃ…ＲＯＭ、６ｄ…入力装置、６ｅ…出力装置、６ｆ…通信装置、６ｇ…記録装置、６ｈ…バス、１１…通信端末、１１ａ…信号制御部、１１ｂ…データ送信部、１１ｃ…データ受信部、１２…通信端末、１２ａ…信号制御部、１２ｂ…データ送信部、１２ｃ…データ受信部、３１…中央信号制御部、４１…データ受信部、４２…データ処理部、４３…データ送信部、５１，７１…信号制御部、５２，７２…データ受信部、５３，７３…データ認識部、５４，７４…データ管理部、５５，７５…データ蓄積部、５６，７６…データ送信部、６１，８１…信号制御部、６２，８１…データ受信部、６３，８３…データ蓄積部、６４…データ開始判断部、６５，８５…データ送信部。
【図１】
2008113379.tif 000003
【図２】
2008113379.tif 000004
【図３】
2008113379.tif 000005
【図４】
2008113379.tif 000006
【図５】
2008113379.tif 000007